【手続補正書】
【提出日】平成26年12月15日(2014.12.15)
【手続補正１】
【補正対象書類名】特許請求の範囲
【補正対象項目名】全文
【補正方法】変更
【補正の内容】
【特許請求の範囲】
【請求項１】
識別情報の可変表示を行い表示結果を導出する可変表示手段を備え、特定条件の成立に基づいて遊技者にとって有利な有利状態に制御する遊技機であって、
前記可変表示手段における表示領域の所定縁部の近傍に設けられた可動演出手段と、
前記表示領域の所定縁部に対応する所定演出位置にて所定演出を実行する所定演出実行手段と、
前記表示領域の所定縁部の近傍から前記表示領域における他の縁部へと向かう可動演出方向に前記可動演出手段を進出させることにより前記有利状態に制御される可能性が高いことを示唆する有利演出を実行する有利演出実行手段と、
前記表示領域の所定縁部から前記可動演出方向と同一の方向に所定表示態様の識別情報を移動表示させる特定演出を実行する特定演出実行手段とを備え、
前記所定演出が実行された後に前記有利演出が実行される場合と、前記所定演出が実行された後に前記特定演出が実行される場合とがあり、
前記所定演出実行手段は、前記有利状態に制御されるか否かに応じて異なる割合で前記所定演出を実行する、
ことを特徴とする遊技機。
【請求項２】
識別情報の可変表示を行い表示結果を導出する可変表示手段を備え、特定条件の成立に基づいて遊技者にとって有利な有利状態に制御する遊技機であって、
前記可変表示手段における表示領域の所定縁部に対応する所定演出位置にて所定演出を実行する所定演出実行手段と、
特定画像を前記表示領域の所定縁部から前記表示領域における他の縁部へと向かう画像表示方向に移動表示させることにより前記有利状態に制御される可能性が高いことを示唆する有利演出を実行する有利演出実行手段と、
前記表示領域の所定縁部から前記画像表示方向と同一の方向に所定表示態様の識別情報を移動表示させる特定演出を実行する特定演出実行手段とを備え、
前記所定演出が実行された後に前記有利演出が実行される場合と、前記所定演出が実行された後に前記特定演出が実行される場合とがあり、
前記所定演出実行手段は、前記有利状態に制御されるか否かに応じて異なる割合で前記所定演出を実行する、
ことを特徴とする遊技機。
【手続補正２】
【補正対象書類名】明細書
【補正対象項目名】０００１
【補正方法】変更
【補正の内容】
【０００１】
本発明は、パチンコ遊技機等の遊技機に係り、詳しくは、識別情報の可変表示を行い表示結果を導出する可変表示手段を備え、特定条件の成立に基づいて遊技者にとって有利な有利状態に制御する遊技機に関する。
【手続補正３】
【補正対象書類名】明細書
【補正対象項目名】０００７
【補正方法】変更
【補正の内容】
【０００７】
（１）上記目的を達成するため、本願の請求項に係る遊技機は、識別情報（例えば特別図柄や飾り図柄など）の可変表示を行い表示結果を導出する可変表示手段（例えば第１及び第２特別図柄表示装置４Ａ、４Ｂや画像表示装置５など）を備え、特定条件の成立に基づいて遊技者にとって有利な有利状態（例えば大当り遊技状態など）に制御する遊技機（例えばパチンコ遊技機１など）であって、前記可変表示手段における表示領域の所定縁部（例えば上縁部となる上辺など）の近傍に設けられた可動演出手段（例えば可動演出部材６０など）と、前記表示領域の所定縁部に対応する所定演出位置にて所定演出（例えばリーチ後煽り演出など）を実行する所定演出実行手段（例えばステップＳ６０３、Ｓ６２６の処理における「可動演出部材動作」の決定結果に基づきステップＳ５２３の処理を実行する演出制御用ＣＰＵ１２０など）と、前記表示領域の所定縁部の近傍から前記表示領域における他の縁部へと向かう可動演出方向に前記可動演出手段を進出（例えば図１９（ｃ）に示すように可動演出部材６０を進出させる部分など）させることにより前記有利状態に制御される可能性が高いことを示唆する有利演出（例えば高期待度演出など）を実行する有利演出実行手段（例えばステップＳ６０５の処理における「高期待度演出あり」の決定結果やステップＳ６０７の処理による設定に基づきステップＳ５２７の処理を実行する演出制御用ＣＰＵ１２０など）と、前記表示領域の所定縁部から前記可動演出方向と同一の方向に所定表示態様の識別情報（例えば擬似連チャンス図柄や大当り組合せを構成する飾り図柄あるいは突確チャンス図柄のいずれかなど）を移動表示させる特定演出（例えば煽り後再変動演出または煽り後大当り導出演出など）を実行する特定演出実行手段（例えばステップＳ６２８の処理による設定に基づきステップＳ５２５の処理を実行する演出制御用ＣＰＵ１２０など）とを備え、前記所定演出が実行された後に前記有利演出が実行される場合と、前記所定演出が実行された後に前記特定演出が実行される場合とがあり、前記所定演出実行手段は、前記有利状態に制御されるか否かに応じて異なる割合で前記所定演出を実行する。
【手続補正４】
【補正対象書類名】明細書
【補正対象項目名】０００８
【補正方法】変更
【補正の内容】
【０００８】
このような構成によれば、遊技者に与える演出の意外性を高めて遊技興趣を向上させることができる。
【手続補正５】
【補正対象書類名】明細書
【補正対象項目名】０００９
【補正方法】変更
【補正の内容】
【０００９】
（２）上記目的を達成するため、本願の請求項に係る遊技機は、識別情報（例えば特別図柄や飾り図柄など）の可変表示を行い表示結果を導出する可変表示手段（例えば第１及び第２特別図柄表示装置４Ａ、４Ｂや画像表示装置５など）を備え、特定条件の成立に基づいて遊技者にとって有利な有利状態（例えば大当り遊技状態など）に制御する遊技機（例えばパチンコ遊技機１など）であって、前記可変表示手段における表示領域の所定縁部に対応する所定演出位置にて所定演出（例えばリーチ後煽り演出など）を実行する所定演出実行手段（例えばステップＳ６０３、Ｓ６２６の処理における「群画像表示」の決定結果に基づきステップＳ５２３の処理を実行する演出制御用ＣＰＵ１２０など）と、特定画像を前記表示領域の所定縁部から前記表示領域における他の縁部へと向かう画像表示方向に移動表示（例えば図２０（ｃ）に示すように演出画像群を表示させる部分など）させることにより前記有利状態に制御される可能性が高いことを示唆する有利演出（例えば高期待度演出など）を実行する有利演出実行手段（例えばステップＳ６０５の処理における「高期待度演出あり」の決定結果やステップＳ６０７の処理による設定に基づきステップＳ５２７の処理を実行する演出制御用ＣＰＵ１２０など）と、前記表示領域の所定縁部から前記画像表示方向と同一の方向に所定表示態様の識別情報（例えば擬似連チャンス図柄や大当り組合せを構成する飾り図柄あるいは突確チャンス図柄のいずれかなど）を移動表示させる特定演出（例えば煽り後再変動演出または煽り後大当り導出演出など）を実行する特定演出実行手段（例えばステップＳ６２８の処理による設定に基づきステップＳ５２５の処理を実行する演出制御用ＣＰＵ１２０など）とを備え、前記所定演出が実行された後に前記有利演出が実行される場合と、前記所定演出が実行された後に前記特定演出が実行される場合とがあり、前記所定演出実行手段は、前記有利状態に制御されるか否かに応じて異なる割合で前記所定演出を実行する。
【手続補正６】
【補正対象書類名】明細書
【補正対象項目名】００１０
【補正方法】変更
【補正の内容】
【００１０】
このような構成によれば、遊技者に与える演出の意外性を高めて遊技興趣を向上させることができる。